(57)【要約】【課題】例えば、片手のみで容易に電子部品を本体筐体から取り外すことができる電子機器を提供する。【解決手段】電子機器１０は、コネクタ２８を有するバッテリ装置１２を収容可能な収容凹部１６を有し、該収容凹部１６内に本体側コネクタ３０が設けられた本体筐体１４を備え、本体筐体１４に対して移動可能に設けられた第１ラッチ部材３２の係止爪部５０を、収容凹部１６に収容したバッテリ装置１２の係止突部４２に対して係止可能に構成することでバッテリ装置１２を本体筐体１４に対して着脱可能に構成されている。そして、第１ラッチ部材３２は、係止爪部５０で係止突部４２を係止した状態から該係止を解除する方向への移動時に、バッテリ装置１２に当接して該バッテリ装置１２を収容凹部１６からの離脱方向へと押出し移動させる押出部４４を備える。【選択図】図７
2014174884.tif 000002
【特許請求の範囲】
【請求項１】
コネクタを有する電子部品と、前記電子部品を収容可能な収容凹部を有し、該収容凹部内に前記電子部品のコネクタと接続可能な本体側コネクタが設けられた本体筐体とを備え、前記本体筐体に対して移動可能に設けられたラッチ部材の係止爪部を、前記収容凹部に収容した前記電子部品の係止部に対して係止可能に構成することで前記電子部品を前記本体筐体に対して着脱可能とすると共に、前記電子部品を前記本体筐体の収容凹部に収容して前記コネクタと前記本体側コネクタとを接続することで前記電子部品と前記本体筐体とが電気的に接続される電子機器であって、
前記ラッチ部材は、前記係止爪部で前記係止部を係止した状態から該係止を解除する方向への移動時に、前記電子部品に当接して該電子部品を前記収容凹部からの離脱方向へと押出し移動させる押出部を備えることを特徴とする電子機器。
【請求項２】
請求項１記載の電子機器において、
前記押出部によって前記電子部品が前記収容凹部からの離脱方向へと押出し移動される際に、前記コネクタと前記本体側コネクタの接続状態が解除されることを特徴とする電子機器。
【請求項３】
請求項１又は２記載の電子機器において、
前記係止爪部が前記係止部を係止する移動方向へと前記ラッチ部材を前記本体筐体に対して弾性支持する弾性部材を備えることを特徴とする電子機器。
【請求項４】
請求項３記載の電子機器において、
前記本体筐体は、前記係止爪部の前記係止部への係止状態を解除する方向に移動し、前記押出部によって前記電子部品を前記収容凹部からの離脱方向へと押出し移動させた前記ラッチ部材の押出部と係合することで、該ラッチ部材の前記弾性部材による係止方向への移動を規制するラッチ保持部を備えることを特徴とする電子機器。
【請求項５】
請求項１〜４のいずれか１項に記載の電子機器において、
前記電子部品の一側面には、前記押出部と当接する受圧用突部が設けられていることを特徴とする電子機器。
【請求項６】
請求項２記載の電子機器において、
前記電子部品は、前記収容凹部への収容方向での前端面に前記コネクタを有して前方へと突出するコネクタ台を備え、該コネクタ台に前記係止部が設けられていることを特徴とする電子機器。
【請求項７】
請求項６記載の電子機器において、
前記ラッチ部材の押出部は、前記電子部品の前記収容凹部への収容方向に直交する方向で、前記電子部品の中心に対して、前記コネクタ台よりも離間した位置で該電子部品に当接することを特徴とする電子機器。
【請求項８】
請求項１〜７のいずれか１項に記載の電子機器において、
前記電子部品は、当該電子機器の電源となるバッテリ装置であることを電子機器。
【発明の詳細な説明】
【技術分野】
【０００１】
本発明は、バッテリ装置等のコネクタを有する電子部品を本体筐体に対して着脱可能に構成した電子機器に関する。
【背景技術】
【０００２】
ノートブック型のパーソナルコンピュータ（ノート型ＰＣ）のように可搬性を考慮した電子機器では、電源としてバッテリ装置（バッテリユニット）を用いた構成が一般的に採用されている。バッテリユニットは、係止手段を介して本体筐体の収容凹部に着脱可能に装着される一方、係止手段の係止状態を解除することによって収容凹部から離脱させ、交換等を行うことができる。
【０００３】
係止手段は、通常、バッテリユニット側に設けられた係止部と、ノート型ＰＣの本体筐体側にスライド可能に設けられたラッチ部材とを備えて構成される。係止部に対してラッチ部材の係合爪部を係止させることにより、収容凹部内から離脱方向へのバッテリユニットの脱落を阻止することができる。
【０００４】
例えば、特許文献１記載の電子機器の係止手段においても、バッテリユニットを本体筐体の収容凹部に挿入することにより、その側面に形成された係止部とラッチ部材の係止爪部とが係止状態となり、バッテリユニットが本体筐体に装着される。また、解除操作レバーを所定の解除方向にスライド操作することにより、ラッチ部材をスライドさせて係止手段の係止状態を解除し、バッテリユニットを本体筐体から取り外すことができる。
【先行技術文献】
【特許文献】
【０００５】
【特許文献１】特開２００９−１６９８０７号公報
【発明の概要】
【発明が解決しようとする課題】
【０００６】
特許文献１記載の電子機器は、バッテリユニット側に設けた解除操作レバーをスライド操作することにより、本体筐体側のラッチ部材を弾性部材の付勢力に抗して退避させて係止手段の係止状態を解除するものであり、この際、解除操作レバーと連動する解除押圧片がラッチ部材の傾斜面に当接してバッテリユニットを収容凹部から押出すため、利便性が高い構造となっている。
【０００７】
ところが、この電子機器では、係止手段の係止状態を解除し、且つバッテリユニットを収容凹部から押出すためには、バッテリユニット側にスライド可能に配設された解除押圧片によって、本体筐体側のラッチ部材の傾斜面を押圧してラッチ部材を水平方向にスライドさせると同時に、解除押圧片をラッチ部材の傾斜面を滑らせてバッテリパック自体を上方へと押し上げる必要がある。このため、操作に慣れていない使用者等が取り扱う場合には、解除押圧片でラッチ部材を水平方向に押圧しつつ、これを傾斜面上を上方へと円滑に滑らせてバッテリパックを押出すことが難しい場合があり、解除操作レバーから手を離すと同時に、ラッチ部材が弾性部材の付勢力によって再び係止方向に戻り、係止爪部と係止部とが再び係止状態となる可能性がある。
【０００８】
従って、このようにバッテリパックの取外動作時に、係止手段が再び係止状態となることを防止するためには、解除操作レバーを手で押さえたまま、係止状態を解除したバッテリユニットを収容凹部から離脱させる必要があり、片手のみでバッテリユニットを取り外すことが難しい可能性がある。しかも、バッテリユニットはコネクタによって本体筐体の本体側コネクタと接続されているため、バッテリユニットを収容凹部から押出すためには、これらコネクタ相互間の接続も解除する必要があり、上記した解除操作レバーと連動したバッテリユニットの押出しが一層難しいものとなっている。
【０００９】
本発明は、上記従来技術の課題を考慮してなされたものであり、例えば、片手のみで容易に電子部品を本体筐体から取り外すことができる電子機器を提供することを目的とする。
【課題を解決するための手段】
【００１０】
本発明に係る電子機器は、コネクタを有する電子部品と、前記電子部品を収容可能な収容凹部を有し、該収容凹部内に前記電子部品のコネクタと接続可能な本体側コネクタが設けられた本体筐体とを備え、前記本体筐体に対して移動可能に設けられたラッチ部材の係止爪部を、前記収容凹部に収容した前記電子部品の係止部に対して係止可能に構成することで前記電子部品を前記本体筐体に対して着脱可能とすると共に、前記電子部品を前記本体筐体の収容凹部に収容して前記コネクタと前記本体側コネクタとを接続することで前記電子部品と前記本体筐体とが電気的に接続される電子機器であって、前記ラッチ部材は、前記係止爪部で前記係止部を係止した状態から該係止を解除する方向への移動時に、前記電子部品に当接して該電子部品を前記収容凹部からの離脱方向へと押出し移動させる押出部を備えることを特徴とする。
【００１１】
このような構成によれば、ラッチ部材に、係止爪部で係止部を係止した状態から該係止を解除する方向への移動時に、電子部品に当接して該電子部品を収容凹部からの離脱方向へと押出し移動させる押出部を備える。従って、電子部品の取外動作時には、ラッチ部材を解除方向へとスライドさせるだけで、該ラッチ部材の押出部によって電子部品を離脱方向へと強制的に且つ確実に移動させることができ、その後の電子部品の収容凹部からの取り出しが容易となる。しかも、ラッチ部材を解除操作するだけで、電子部品が移動しているため、係止爪部と係止突部との再係止も防止される。すなわち、電子部品の取外動作に慣れていない使用者等であっても、ラッチ部材をスライド操作する解除レバーを解除方向に操作するだけで電子部品を離脱方向に確実に押出すことができるため、その後は、解除レバーから手を離し、片手で電子部品を収容凹部から引き抜くだけで容易に取外動作を完了することができる。
【００１２】
前記押出部によって前記電子部品が前記収容凹部からの離脱方向へと押出し移動される際に、前記コネクタと前記本体側コネクタの接続状態が解除されると、電子部品の取外動作時に、コネクタと本体側コネクタの切離動作を特別に意識することなく、電子部品の取外動作を行うだけで、その接続状態も解除することができ、利便性が高く、またコネクタ接続部の破損等も可及的に抑制することができる。
【００１３】
前記係止爪部が前記係止部を係止する移動方向へと前記ラッチ部材を前記本体筐体に対して弾性支持する弾性部材を備えると、ラッチ部材によって電子部品を安定して係止しておくことができる。
【００１４】
この場合、前記本体筐体は、前記係止爪部の前記係止部への係止状態を解除する方向に移動し、前記押出部によって前記電子部品を前記収容凹部からの離脱方向へと押出し移動させた前記ラッチ部材の押出部と係合することで、該ラッチ部材の前記弾性部材による係止方向への移動を規制するラッチ保持部を備えてもよい。そうすると、電子部品の押出し後、弾性部材の付勢力によってラッチ部材の係止方向への復帰が規制されるため、該ラッチ部材の係止爪部が再び電子部品側の係止部と係止状態となることがより確実に防止される。
【００１５】
前記電子部品の一側面には、前記押出部と当接する受圧用突部が設けられていてもよい。そうすると、押出部によって安定して確実に電子部品を押出し移動させることができる。また、受圧用突部を設けることにより、電子部品の押出し後、再び電子部品を収容凹部に装着する際には、ラッチ保持部による押出部の係合状態を該受圧用突部によって容易に解除できるため、電子部品の取付動作が一層円滑なものとなる。
【００１６】
前記電子部品は、前記収容凹部への収容方向での前端面に前記コネクタを有して前方へと突出するコネクタ台を備え、該コネクタ台に前記係止部が設けられていると、コネクタの近傍にラッチ部材を配置し、このラッチ部材の押出部によってコネクタの近傍で電子部品を押出し移動させることができるため、ラッチ部材の解除方向へのスライドに伴う押出部からの押圧力をコネクタの近傍で電子部品に付与することができ、コネクタと本体側コネクタの接続状態をより確実に解除することが可能となる。
【００１７】
この場合、前記ラッチ部材の押出部は、前記電子部品の前記収容凹部への収容方向に直交する方向で、前記電子部品の中心に対して、前記コネクタ台よりも離間した位置で該電子部品に当接する構成とすると、コネクタ台よりも電子部品の中心から外方にある位置で該電子部品を押出部によって押圧することができる。このため、押出部からの押圧力によって電子部品は収容凹部内での左右幅方向でコネクタ側が持ち上がる回動方向の力を受けつつ、該収容凹部の左右側壁面に沿って離脱方向に移動されるため、コネクタと本体側コネクタの接続状態を一層容易に且つ円滑に解除することが可能となる。
【００１８】
前記電子部品は、当該電子機器の電源となるバッテリ装置であってもよい。
【発明の効果】
【００１９】
本発明によれば、電子部品の取外動作時には、ラッチ部材を解除方向へとスライドさせるだけで、該ラッチ部材の押出部によって電子部品を離脱方向へと強制的に且つ確実に移動させることができ、その後の電子部品の収容凹部からの取り出しが容易となり、この際、係止爪部と係止突部との再係止も防止されるため、片手であっても容易に電子部品を収容凹部から取り外すことが可能となる。
【図面の簡単な説明】
【００２０】
【図１】図１は、本発明の一実施形態に係る電子機器の構成を示す底面図である。
【図２】図２は、図１に示す電子機器を構成する本体筐体の収容凹部内にバッテリ装置を収容し係止した状態での要部拡大平面図である。
【図３】図３は、バッテリ装置の構成を示す平面図である。
【図４】図４は、第１係止手段を構成する第１ラッチ部材の構成を示す平面図である。
【図５】図５は、第２係止手段を構成する第２ラッチ部材の構成を示す平面図である。
【図６】図６は、図２に示す収容凹部内に収容されたバッテリ装置の係止突部を第１ラッチ部材の係止爪部で係止した状態での要部拡大平面図である。
【図７】図７は、図６に示す状態から第１ラッチ部材を解除方向にスライドさせ、係止突部と係止爪部の係止状態を解除した状態での要部拡大平面図である。
【図８】図８は、図２に示す収容凹部内に収容されたバッテリ装置の係止凹部を第２ラッチ部材の係止爪部で係止した状態での要部拡大平面図である。
【図９】図９は、図２に示す状態から第１係止手段及び第２係止手段の係止状態を解除した状態での要部拡大平面図である。
【発明を実施するための形態】
【００２１】
以下、本発明に係る電子機器について好適な実施の形態を挙げ、添付の図面を参照しながら詳細に説明する。
【００２２】
図１は、本発明の一実施形態に係る電子機器１０の構成を示す底面図である。電子機器１０は、電子部品であるバッテリ装置１２を、本体筐体１４の収容凹部１６に対して収容可能且つ着脱可能に構成したノート型ＰＣである。電子機器１０としては、ノート型ＰＣ以外にも、タブレット型パーソナルコンピュータ（タブレット型ＰＣ）や携帯型の音楽プレーヤー等、各種の電子機器を例示できる。また、電子部品としては、バッテリ装置１２以外にも、磁気ディスク装置や光ディスク装置等、電子機器に対して着脱可能に搭載されて電気的に接続される各種の電子部品を例示できる。
【００２３】
電子機器１０は一般的なノート型ＰＣであり、図１に示すように、本体筐体１４と、本体筐体１４の底面１４ａに設けられた収容凹部１６に対して収納可能且つ着脱可能なバッテリ装置１２とを備える。また、図示はしないが、電子機器１０は、本体筐体１４の上面にキーボートが設けられ、本体筐体１４の後端部にヒンジを介してディスプレイが開閉可能に設けられ、本体筐体１４の内部に基板、演算装置、冷却装置等が設けられいる。以下では説明の便宜上、電子機器１０の使用形態を考慮して、図１における上下方向を前後方向、紙面に垂直な電子機器１０の厚み方向を上下方向と呼び、幅方向は各図での図面の方向で適宜左右方向と呼ぶものとする。
【００２４】
本体筐体１４は、その底面１４ａを形成する樹脂製や金属製の板状部材である下プレート１８と、下プレート１８の上面を蓋する上プレート（図示せず）とによって箱状に形成されている。バッテリ装置１２は、本体筐体１４の底面１４ａに形成された収容凹部１６に収容・装着された状態では、その底面１２ａが本体筐体１４の底面１４ａと面一となり、本体筐体１４の底面１４ａの一部を構成する。バッテリ装置１２は、後述する第１係止手段２０及び第２係止手段２２によって本体筐体１４に着脱される。本体筐体１４の底面１４ａには、収容凹部１６からバッテリ装置１２を取り外す際に操作する第１解除操作レバー２４及び第２解除操作レバー２６が左右方向にスライド可能に設けられている。
【００２５】
バッテリ装置１２が収容凹部１６内に収容されて第１係止手段２０及び第２係止手段２２を介して本体筐体１４に装着され、同時にバッテリ装置１２のコネクタ２８が本体筐体１４の本体側コネクタ３０に接続されることにより、これら本体筐体１４とバッテリ装置１２とが電気的に接続され、バッテリ装置１２を当該電子機器１０の電源として機能させることができる。
【００２６】
次に、バッテリ装置１２及びこのバッテリ装置１２の収容凹部１６への収容構造と、バッテリ装置１２の本体筐体１４への着脱機構を構成する第１係止手段２０及び第２係止手段２２とについて説明する。
【００２７】
図２は、図１に示す電子機器１０を構成する本体筐体１４の収容凹部１６内にバッテリ装置１２を収容し係止した状態での要部拡大平面図であり、装置本体１４を構成する前記上プレートを取り外し、下プレート１８の内面側を当該電子機器１０の上面側から見た図である。図３は、バッテリ装置１２の構成を示す平面図である。また、図４は、第１係止手段２０を構成する第１ラッチ部材３２の構成を示す平面図であり、図５は、第２係止手段２２を構成する第２ラッチ部材３４の構成を示す平面図である。
【００２８】
図２及び図３に示すように、バッテリ装置１２は、内部に図示しない二次電池を搭載した扁平な直方体形状であり、その前端面１２ｂの一方側には、前側へと突出したコネクタ台３６が設けられ、コネクタ台３６の外側であって前端面１２ｂのＲ形状の角部には、前側へと突出した先細り略台形形状であって平坦な先端面を持った受圧用突部３８が設けられている。さらに、受圧用突部３８側と反対側の角部で前端面１２ｂと交わる側面１２ｃ（図３では左側面）には、第２係止手段２２を構成する係止凹部４０が形成されている。
【００２９】
コネクタ台３６は、前端面１２ｂに突設された突出片であり、その先端面に露出するコネクタ２８と、その受圧用突部３８側の外側面に突設された係止突部（係止部）４２とを有する。コネクタ２８は、上記したように、本体筐体１４の本体側コネクタ３０と接続される端子部であり、両者の接続方向は、収容凹部１６へのバッテリ装置１２の挿脱方向と一致している（図６及び図７参照）。係止突部４２は、第１係止手段２０を構成する第１ラッチ部材３２によって係止される係止面４２ａと、第１ラッチ部材３２と摺接する傾斜面４２ｂとを有し、先細り略三角形状に形成されている。受圧用突部３８は、後述する第１ラッチ部材３２の押出部４４からの押圧力を受ける部分である。係止凹部４０は、第２係止手段２２を構成する第２ラッチ部材３４によって係止される係止面４０ａを有する。
【００３０】
このようなバッテリ装置１２が収容される収容凹部１６は、図２に示すように、当該電子機器１０の底蓋となる下プレート１８の一部を切欠いて形成されている。収容凹部１６の略Ｕ字状に延在する縁部周辺には、収容凹部１６の奥側（前側）の縁部に形成された矩形のコネクタ用凹部１６ａと、コネクタ用凹部１６ａの外側部に連続して設けられた矩形の第１スライダ用凹部１６ｂと、バッテリ装置１２の側面１２ｃに対面する側縁部に形成された矩形の第２スライダ用凹部１６ｃとが設けられている。これらコネクタ用凹部１６ａ、第１スライダ用凹部１６ｂ、及び第２スライダ用凹部１６ｃは、例えば下プレート１８の内面に壁部を起立させることで形成されている。
【００３１】
コネクタ用凹部１６ａは、バッテリ装置１２のコネクタ台３６が挿脱される部分である。コネクタ用凹部１６ａには、バッテリ装置１２が所定位置まで確実に収容凹部１６内に収容された状態で、コネクタ台３６のコネクタ２８と接続される本体側コネクタ３０が配置されている（図６参照）。
【００３２】
第１スライダ用凹部１６ｂは、コネクタ用凹部１６ａ内に配置されたコネクタ台３６の側面から突出した係止突部４２を係止するための第１ラッチ部材３２がスライド可能に配置される部分である。第１スライダ用凹部１６ｂの略中央には、孔部が貫通形成されており、本体筐体１４の底面１４ａ側に露出する第１解除操作レバー２４の取付部２４ａが該孔部を通して第１ラッチ部材３２に固定される（図６も参照）。
【００３３】
第２スライダ用凹部１６ｃは、係止凹部４０の係止面４０ａを係止するための第２ラッチ部材３４がスライド可能に配置される部分である。第２スライダ用凹部１６ｃの略中央には、孔部が貫通形成されており、本体筐体１４の底面１４ａ側に露出する第２解除操作レバー２６の取付部２６ａが該孔部を通して第２ラッチ部材３４に固定される（図８も参照）。
【００３４】
このような収容凹部１６へのバッテリ装置１２の入口となる後側の開口には、該開口の両端間を渡るようにブリッジ部４６が架橋されている（図２参照）。ブリッジ部４６は、収容凹部１６内に収容・装着されたバッテリ装置１２の上面１２ｄを押さえるものである。また、収容凹部１６内に収容されたバッテリ装置１２は、その底面１２ａが収容凹部１６の略Ｕ字状に延在する縁部から該収容凹部１６の内方へと突出形成されたフランジ部４８によって押さえられる。これにより、バッテリ装置１２は、これらブリッジ部４６とフランジ部４８との間で上下に挟み込まれるようにして収容凹部１２内で安定支持される。
【００３５】
図６は、図２に示す収容凹部１６内に収容されたバッテリ装置１２の係止突部４２を第１ラッチ部材３２の係止爪部５０で係止した状態での要部拡大平面図である。図７は、図６に示す状態から第１ラッチ部材３２を解除方向にスライドさせ、係止突部４２と係止爪部５０の係止状態を解除した状態での要部拡大平面図である。
【００３６】
図４及び図６に示すように、第１ラッチ部材（ラッチ部材）３２は、そのスライド方向（図２及び図６中で左右方向）に対する両側部に設けられた複数のスライドガイド５２が、本体筐体１４側の第１スライダ用凹部１６ｂの側壁部に設けられた各スライドレール５４に摺接することで、第１スライダ用凹部１６ｂ内でスライド可能に配置されている。この際、第１ラッチ部材３２は本体筐体１４に対して、一端が本体筐体１４側に固定されたコイルばね（弾性部材）５５の付勢力により、そのスライド方向で常時前方側（図６中で左側）へと付勢された状態で弾性支持されている。
【００３７】
第１ラッチ部材３２は、そのスライド方向で前方（図４及び図６中で左側）へと突出した係止爪部５０と、係止爪部５０からスライド方向で後方（図４及び図６中で右側）へと延在した押出部４４と、当該第１ラッチ部材３２の中央部を貫通した孔部５６と、スライド方向で孔部５６の前方側の端面からスライド方向で後方側へと延びたピン５８とを備える。
【００３８】
係止爪部５０は、バッテリ装置１２に設けられた係止突部４２の係止面４２ａと当接し、これを係止する係止面５０ａと、係止突部４２の傾斜面４２ｂと摺接する傾斜面５０ｂとを有し、先細り略三角形状に形成されている。
【００３９】
押出部４４は、係止爪部５０の傾斜面５０ｂから連続し、当該第１ラッチ部材３２の本体部から分離してスライド方向後方へと延びた弾性片である。押出部４４は、当該第１ラッチ部材３２が解除方向（図６中で右側）にスライド退避した際、バッテリ装置１２に設けられた受圧用突部３８の先端面と当接し、これを押圧するための部分であり（図７参照）、その頂部に受圧用突部３８を押圧する膨出部４４ａが設けられている。さらに、押出部４４は、受圧用突部３８を押出した後、該受圧用突部３８が臨入していた第１スライダ用凹部１６ｂの縁部に形成された開口６０の端部に設けられたストッパ片６０ａと当接し（図７参照）、コイルばね５５の付勢力によって当該第１ラッチ部材３２がスライド方向で前方側へと移動することを規制する機能（仮保持機能）も有する。
【００４０】
孔部５６には、第１解除操作レバー２４の取付部２４ａが挿通されて当該第１ラッチ部材３２に固定され、これにより、第１解除操作レバー２４と第１ラッチ部材３２とが一体的にスライド可能に連結されている（図６及び図７参照）。孔部５６内に突設されたピン５８には、一端が本体筐体１４側から突出したピン６２に嵌挿されたコイルばね５５の他端が嵌挿される。コイルばね５５は、これらピン５８，６２間に渡って設けられることで、本体筐体１４に対して第１ラッチ部材３２をスライド方向で前方側へと付勢しながら弾性支持している。
【００４１】
図８は、図２に示す収容凹部１６内に収容されたバッテリ装置１２の係止凹部４０を第２ラッチ部材３４の係止爪部６４で係止した状態での要部拡大平面図である。
【００４２】
図５及び図８に示すように、第２ラッチ部材３４は、そのスライド方向（図２及び図８中で左右方向。図９も参照）に対する両側部に設けられた複数のスライドガイド６６及び嵌合突部６７が、本体筐体１４側の第２スライダ用凹部１６ｃの側壁部に設けられた各スライドレール６８に摺接することで、第２スライダ用凹部１６ｃ内でスライド可能に配置されている。
【００４３】
スライドガイド６６は、第２ラッチ部材３４のスライド方向に対する各側壁部の両端にそれぞれ一対ずつ設けられており、その間の中央部にスライドガイド６６より大きな嵌合突部６７が設けられている。この嵌合突部６７は、当該第２ラッチ部材３４の本体部に対して長孔７０を挟んで弾性支持された細径の弾性棒７２の外面に突設されている。嵌合突部６７は、弾性棒７２によって弾性支持されることにより、スライドレール６８に対する第２ラッチ部材３４のスライド動作をガイドする機能と、第２ラッチ部材３４を所定のスライド位置で保持する位置決め機能とを有する。各スライドレール６８の中央付近には、それぞれ一対の保持凹部６８ａ，６８ｂが形成されており、嵌合突部６７は当該第２ラッチ部材３４のスライド動作に伴い、保持凹部６８ａ又は保持凹部６８ｂに対して選択的に嵌合し、第２ラッチ部材３４のスライド位置を規定する。
【００４４】
第２ラッチ部材３４は、そのスライド方向で前方（図５及び図８中で右側）へと突出した係止爪部６４と、当該第２ラッチ部材３４の中央部を貫通した孔部７４とを備える。
【００４５】
係止爪部６４は、バッテリ装置１２に設けられた係止凹部４０の係止面４０ａと当接し、これを係止する係止面６４ａと、バッテリ装置１２の外側面に摺接可能な傾斜面６４ｂとを有し、先細り略三角形状に形成されている。係止爪部６４は、嵌合突部６７がスライド方向で前方側の保持凹部６８ａに嵌合した状態では係止凹部４０に挿入されてバッテリ装置１２を係止し（図２及び図８参照）、嵌合突部６７がスライド方向で後方側の保持凹部６８ｂに嵌合した状態では係止凹部４０から離脱してバッテリ装置１２への係止状態が解除される（図９参照）。
【００４６】
孔部７４には、第２解除操作レバー２６の取付部２６ａが挿通されて当該第２ラッチ部材３４に固定され、これにより、第２解除操作レバー２６と第２ラッチ部材３４とが一体的にスライド可能に連結されている（図８参照）。
【００４７】
次に、本実施形態に係る電子機器１０におけるバッテリ装置１２の本体筐体１４に対する取付動作及び取外動作について説明する。図９は、図２に示す状態から第１係止手段２０及び第２係止手段２２の係止状態を解除した状態での要部拡大平面図である。
【００４８】
先ず、バッテリ装置１２を本体筐体１４に取り付ける場合には、本体筐体１４ａに対するバッテリ装置１２の上下の向きを合わせた後、バッテリ装置１２の前端面１２ｂを先頭側として収容凹部１６内へと挿入する（図１及び図２参照）。そうすると、図２に示すように、バッテリ装置１２のコネクタ台３６がコネクタ用凹部１６ａに配置され、第１係止手段２０を構成する第１ラッチ部材３２と係止突部４２とが係止状態となる（図６参照）。また、第２係止手段２２を構成する第２ラッチ部材３２と係止凹部４０とは人手によって係止状態とする（図８参照）。
【００４９】
この取付動作時、第１係止手段２０では、第１ラッチ部材３２は、コイルばね５５によって常時スライド方向で前方側に付勢されており、係止爪部５０がコネクタ台３６の外側面から突出した係止突部４２と干渉する位置にあるが、収容凹部１６内への進入側となる係止突部４２の傾斜面４２ｂが、受入側となる係止爪部５０の傾斜面５０ｂを押圧しながら摺接する。このため、バッテリ装置１２の進入に伴う傾斜面４２ｂ，５０ｂ間の摺接作用により、コイルばね５５の付勢力に抗して第１ラッチ部材３２がスライド方向で後方側へと退避し、最終的にバッテリ装置１２が収容凹部１６内に完全に収容される際には、係止突部４２の傾斜面４２ｂが係止爪部５０の傾斜面５０ｂを乗り越える（図７及び図９参照）。そうすると、第１ラッチ部材３２は、コイルばね５５の付勢力によって今度はスライド方向で前方側へとスライドし、係止面４２ａと係止面５０ａとが対面して相互に係止状態となり、第１係止手段２０が係止状態となってバッテリ装置１２の収容凹部１６からの抜け止めがなされる（図２及び図６参照）。
【００５０】
一方、第２係止手段２０では、第２ラッチ部材３４は、前回のバッテリ装置１２の取外動作時に、嵌合突部６７がスライド方向で後方側の保持凹部６８ｂに嵌合されているため、第２スライダ用凹部１６ｃの奥側へと退避した位置にある（図９参照）。そこで、バッテリ装置１２が収容凹部１６内に完全に収容された後、第２解除操作レバー２６を係止方向（図１中で右側）にスライドさせる。これにより、第２ラッチ部材３４は、弾性棒７２が弾性変形することで嵌合突部６７が保持凹部６８ｂから抜け出るため、スライド方向で前方側へと移動でき、係止爪部６４がバッテリ装置１２側の係止凹部４０に挿入されると、嵌合突部６７が今度はスライド方向で前方側の保持凹部６８ａに嵌合する。同時に、係止爪部６４の係止面６４ａと係止凹部４０の係止面４０ａとが対面して相互に係止状態となり、第２係止手段２２が係止状態となってバッテリ装置１２の収容凹部１６からの抜け止めがなされる（図２及び図８参照）。
【００５１】
なお、第２係止手段２０では、前回のバッテリ装置１２の取外動作の後に、第２ラッチ部材３４がスライド方向で前方側へとスライド操作され、嵌合突部６７がスライド方向で前方側の保持凹部６８ａに嵌合された状態の場合であっても、上記と同様なバッテリ装置１２の取付動作を行うことができる。すなわち、この状態では、バッテリ装置１２が収容凹部１６に収容されていない場合には、第２ラッチ部材３４の係止爪部６４は、収容凹部１６内へと突出しているが、バッテリ装置１２が収容凹部１６内に進入してくると、傾斜面６４ｂがバッテリ装置１２の前端面１２ｂの角部及び側面１２ｃによって押圧され、これと摺接するため、第２ラッチ部材３４はスライド方向で後方側へと強制的に退避され、特に問題を生じることなく円滑にバッテリ装置１２を装着することができる。
【００５２】
以上より、バッテリ装置１２を本体筐体１４に取り付ける際には、バッテリ装置１２が収容凹部１６内に収容すると同時に第１係止手段２０が係止状態となり、さらに第２解除操作レバー２６を操作して第２係止手段２２も係止状態とすることにより、バッテリ装置１２が本体筐体１４に対して確実に脱落防止された状態で装着される。この際、バッテリ装置１２のコネクタ台３６が本体筐体１４側のコネクタ用凹部１６ａに挿入されるため、バッテリ装置１２のコネクタ２８と本体筐体１４の本体側コネクタ３０とが確実に接続され、バッテリ装置１２が当該電子機器１０の電源として動作可能な状態となる。
【００５３】
次に、バッテリ装置１２を本体筐体１４から取り外す場合には、先ず、第２係止手段２２の係止状態を解除するために、第２解除操作レバー２６を解除方向（図１中で左側）にスライドさせる。これにより、第２ラッチ部材３４は、弾性棒７２が弾性変形することで嵌合突部６７が保持凹部６８ａから抜けてスライド方向で後方側へと退避し、係止爪部６４がバッテリ装置１２側の係止凹部４０から離脱すると、嵌合突部６７がスライド方向で後方側の保持凹部６８ｂに嵌合し、そのスライドが規制されるため、第２係止手段２２の係止状態が解除される（図９参照）。
【００５４】
続いて、第１係止手段２０の係止状態を解錠するために、第１解除操作レバー２４を解除方向（図１中で右側）にスライドさせる。これにより、第１ラッチ部材３２は、コイルばね５５の付勢力に抗してスライド方向で後方側へと退避し、係止爪部５０がバッテリ装置１２側の係止突部４２から離脱し、これらの係止状態が解除される（図７参照）。この第１係止手段２０の解除動作時には、図６及び図７に示すように、第１ラッチ部材３２のスライド方向で後方側への退避動作に伴い、押出部４４の膨出部４４ａがバッテリ装置１２側の受圧用突部３８を押圧し、該受圧用突部３８を第１スライダ用凹部１６ｂの開口６０から押出す方向に移動させる。すなわち、第１ラッチ部材３２を解除方向に移動させ、第１係止手段２０の係止状態を解除すると、バッテリ装置１２が第１ラッチ部材３２の押出部４４によって収容凹部１６からの離脱方向へと押出し移動され、同時にコネクタ２８と本体側コネクタ３０との接続状態も解除される（図７及び図９参照）。受圧用突部３８をバッテリ装置１２側から突出させたことにより、押圧部４４で大きな押圧力によってバッテリ装置１２を押出すことができるが、受圧用突部３８は省略しても勿論よい。
【００５５】
また、受圧用突部３８を押出した後、押出部４４は、開口６０の端部に設けられたストッパ片６０ａと当接して係合するため、第１ラッチ部材３２のスライド方向で前方側への復帰が規制される。つまり、ストッパ片６０ａは、コイルばね５５による係止方向への第１ラッチ部材３２の移動を規制するラッチ保持部として機能する。このように、コイルばね５５の付勢力による第１ラッチ部材３２のスライド方向で前方側へと復帰が規制されるため、第１ラッチ部材３２の係止爪部５０が再びバッテリ装置１２側の係止突部４２と係止状態となることが防止される。
【００５６】
第１係止手段２０では、第１ラッチ部材３２の退避動作に伴う押出部４４の受圧用突部３８の押出し作用により、バッテリ装置１２は収容凹部１６内から離脱方向に移動している。このため、ストッパ片６０ａによって第１ラッチ部材３２の復帰移動を規制しなくても、係止爪部５０が係止突部４２と再び係止状態になる可能性は極めて低いが、ストッパ片６０ａを設けることにより、再び係止状態となることを確実に回避でき、一旦係止状態が解除された後は、第１解除レバー２４から手を離しても、第１ラッチ部材３２の退避位置、つまり第１係止手段２０の解除状態をそのまま確実に維持することができる。
【００５７】
以上より、バッテリ装置１２を本体筐体１４から取り外す際には、第１係止手段２０の係止状態の解除動作と同時に、コネクタ２８と本体側コネクタ３０との接続状態も解除され、バッテリ装置１２が収容凹部１６からの離脱方向へと移動されるため（図７及び図９参照）、その後は、第１解除レバー２４から手を離し、バッテリ装置１２を把持して収容凹部１６から引き抜くだけでバッテリ装置１２を本体筐体１４から容易に取り外すことができる。
【００５８】
なお、第１係止手段２０では、上記のバッテリ装置１２の取外動作の後に、第１ラッチ部材３２がストッパ片６０ａによって保持され、コイルばね５５の付勢力に抗してスライド方向後方に退避した位置にあるが、次回の取付動作時に、開口６０を挿通されるコネクタ突部３８によって押出部４４が弾性変形させられ、ストッパ片６０ａとの係合状態が解除される。このため、第１ラッチ部材３２は再びコイルばね５５の付勢力によってスライド方向前方へと移動し、特に問題を生じることなく円滑に係止爪部５０で係止突部４２を係止させることができる。
【００５９】
以上のように、本実施形態に係る電子機器１０によれば、第１ラッチ部材３２は、係止爪部５０で係止突部４２を係止した状態から該係止を解除する方向への移動時に、バッテリ装置１２に当接して該バッテリ装置１２を収容凹部１６からの離脱方向へと押出し移動させる押出部４４を備える。
【００６０】
従って、バッテリ装置１２の取外動作時には、第１ラッチ部材３２をスライド方向で後方側へとスライドさせるだけで、該第１ラッチ部材３２の押出部４４によってバッテリ装置１２を離脱方向へと強制的に且つ確実に移動させることができ、その後のバッテリ装置１２の抜き取りが容易となる。また、第１ラッチ部材３２を操作するだけで、バッテリ装置１２が移動しているため、係止爪部５０と係止突部４２との再係止も防止される。このため、バッテリ装置１２の取外動作に慣れていない使用者等であっても、第１解除レバー２４を解除方向に操作するだけでバッテリ装置１２が離脱方向に確実に押出されるため、その後は、第１解除レバー２４から手を離し、片手でバッテリ装置１２を収容凹部１６から引き抜くだけで容易に取外動作を完了することができる。また、バッテリ装置１２側には、可動部がなく、固定部である係止突部４２等が設置されているだけであるため、バッテリ装置１２及び当該電子機器１０の構造を簡素化することができる。
【００６１】
当該電子機器１０では、押出部４４によってバッテリ装置１２が収容凹部１６から離脱方向へと押出し移動される際に、コネクタ２８と本体側コネクタ３０の接続状態が解除される。このため、バッテリ装置１２の取外動作時に、コネクタ２８と本体側コネクタ３０の切離動作を特別に意識することなく、バッテリ装置１２の取外動作を行うだけで、コネクタ２８と本体側コネクタ３０の接続状態も解除することができ、利便性が高く、またコネクタ接続部の破損等も可及的に抑制することができる。
【００６２】
この際、バッテリ装置１２は、収容凹部１６への収容方向での前端面１２ｂにコネクタ２８を有して前方へと突出するコネクタ台３６を備え、該コネクタ台３６に係止爪部５０で係止される係止突部４２を設けている。これにより、コネクタ２８の近傍に第１ラッチ部材３２を配置し、この第１ラッチ部材３２の押出部４４によってコネクタ２８の近傍でバッテリ装置１２を押出し移動させることができるため、第１ラッチ部材３２の解除方向へのスライドに伴う押出部４４からの押圧力をコネクタ２８の近傍でバッテリ装置１２に付与することができ、コネクタ２８と本体側コネクタ３０の接続状態をより確実に解除することが可能となる。
【００６３】
しかも、本実施形態では、図２及び図９から明らかなように、第１ラッチ部材３２の押出部４４は、バッテリ装置１２の収容凹部１６への収容方向に直交する方向で、該バッテリ装置１２の中心に対して、コネクタ台３６よりも離間した位置、つまりコネクタ台３６よりもバッテリ装置１２の中心から外方にある位置で該バッテリ装置１２の受圧用突部３８に当接する。これにより、押出部４４からの押圧力によってバッテリ装置１２は収容凹部１６内での左右幅方向でコネクタ２８側が持ち上がる回動方向の力を受けつつ、該収容凹部１６の左右側壁面に沿って離脱方向に移動されるため、コネクタ２８と本体側コネクタ３０の接続状態を一層容易に且つ円滑に解除することが可能となる。
【００６４】
なお、本発明は、上記した実施形態に限定されるものではなく、本発明の主旨を逸脱しない範囲で自由に変更できることは勿論である。
【００６５】
例えば、上記実施形態では、第１係止手段２０と共に第２係止手段２２を備えた構成を例示したが、図２から明らかなように、第１係止手段２０のみでもバッテリ装置１２の収容凹部１６からの抜け止め機能は十分にあり、このため、第２係止手段２２を省略することもできる。また、第２係止手段２２に第１係止手段２０と同様な構造を適用しても勿論よく、これら第１係止手段２０や第２係止手段２２の設置位置は、適用される電子機器１０の仕様等に応じて適宜設定すればよい。
【００６６】
第１ラッチ部材３２の係止爪部５０によって係止される係止部は、コネクタ台３６の側面から突出した構成の係止突部４２以外であってもよく、例えば、係止凹部４０と同様にコネクタ台３６の外面から凹んだ係止凹部であってもよい。同様に、係止爪部５０も第１ラッチ部材３２の外面から凹んだ形状の係止凹部であってもよく、この場合には、該係止凹部の一内面が相手側を係止する係止爪部として機能する。
【００６７】
また、バッテリ装置１２の収容凹部１６への収容構造は、当該電子機器１０の前後方向にスライドさせる構造以外にも、当該電子機器１０の底面１４ａに対して上下方向に挿入して収容する構造としてもよく、この構造の場合には、第１ラッチ部材３２の押出部４４は、バッテリ装置１２を上下方向に押出す構造とされればよい。
【００６８】
さらに、押出部４４によるバッテリ装置１２の押出し構造は、第１ラッチ部材３２の直線方向のスライド動作に伴ってバッテリ装置１２を押出す構造以外であってもよく、例えば、第１ラッチ部材３２が円弧移動の軌跡を有しつつ、係止突部４２を係止する構成としてもよく、この構造の場合には、係止突部４２からの円弧移動の退避時に第１ラッチ部材３２の押出部４４がバッテリ装置１２側に近づいてこれを押出す構造とすればよい。
【符号の説明】
【００６９】
１０  電子機器
１２  バッテリ装置
１４  本体筐体
１６  収容凹部
２０  第１係止手段
２２  第２係止手段
２４  第１解除操作レバー
２６  第２解除操作レバー
２８  コネクタ
３０  本体側コネクタ
３２  第１ラッチ部材
３４  第２ラッチ部材
３６  コネクタ台
３８  受圧用突部
４０  係止凹部
４２  係止突部
４０ａ，４２ａ，５０ａ，６４ａ  係止面
４２ｂ，５０ｂ，６４ｂ  傾斜面
４４  押出部
５０，６４  係止爪部
５５  コイルばね
６０  開口
６０ａ  ストッパ片
【図１】
2014174884.tif 000003
【図２】
2014174884.tif 000004
【図３】
2014174884.tif 000005
【図４】
2014174884.tif 000006
【図５】
2014174884.tif 000007
【図６】
2014174884.tif 000008
【図７】
2014174884.tif 000009
【図８】
2014174884.tif 000010
【図９】
2014174884.tif 000011